(57)【要約】【課題】隠蔽情報を読み取ることができる隠蔽情報読取装置および隠蔽情報読取方法を提供する。【解決手段】本発明の隠蔽情報読取装置１は、カード２の記録面１７に記録された記録情報１９に積層され非透光性状態から透光性状態に変化する性状を有する示温層２３に対して当該示温層２３が透光性状態になる温度に加熱する加熱ローラ３や加熱装置５と、それらの加熱によって透光性状態になった示温層２３を透して上記カード２の記録面１７に記録された記録情報１９を読み取るスキャナ７やコンピュータ装置９とを備える。【選択図】図１
2006071886.tif 000002
【特許請求の範囲】
【請求項１】
所定の情報記録媒体の記録面に記録された記録情報に積層され非透光性状態から透光性状態に変化する性状を有する示温層に対して当該示温層が透光性状態になる温度に加熱する加熱手段と、
上記加熱手段の加熱によって透光性状態になった示温層を透して上記情報記録媒体の記録面に記録された記録情報を読み取る読取手段とを備えたことを特徴とする隠蔽情報読取装置。
【請求項２】
画像データからテキストデータに変換する変換手段を備え、
上記読取手段は、上記記録情報を画像データとして読み取り、
上記変換手段は、上記読取手段により読み取られた画像データをテキストデータに変換する請求項１記載の隠蔽情報読取装置。
【請求項３】
上記情報記録媒体は、記録情報が所定の波長の電磁波に反応して可視範囲の蛍光を発する蛍光インクにより記録され、
上記記録情報に対して上記所定の波長の電磁波を照射する照射手段を備え、
上記読取手段は、上記照射手段の照射により上記記録情報が蛍光を発しているとき、当該記録情報を読み取る請求項１または２記載の隠蔽情報読取装置。
【請求項４】
所定の情報記録媒体の記録面に記録された記録情報に積層され非透光性状態から透光性状態に変化する性状を有する示温層に対して当該示温層が透光性状態になる温度に所定の加熱手段で加熱し、
上記加熱手段の加熱によって透光性状態になった示温層を透して上記情報記録媒体の記録面に記録された記録情報を所定の読取手段で読み取ることを特徴とする方法。
【発明の詳細な説明】
【技術分野】
【０００１】
本発明は、隠蔽情報を読み取る隠蔽情報読取装置および隠蔽情報読取方法に関するものである。
【背景技術】
【０００２】
例えば、金融業、小売業、通信販売業等の業者側から新しいサービスや商品の案内を顧客に送る場合、顧客からの申し込みを受けるための申込書を同封するのが通例である。その際、申込書には顧客の個人情報や暗証番号等の記録情報が書き込まれて記録されることから、これらの記録情報が第三者の目に触れないようにすることが要求されている。
【０００３】
そこで、上記記録情報は、第三者の目に触れないように、顧客により非透光性の隠蔽シールが貼付され隠蔽されている（例えば、下記の非特許文献１参照。）。上記のような業者は、隠蔽シールを手作業で剥がし、その隠蔽シールによって隠蔽された記録情報（隠蔽情報）を目視している。
【特許文献１】特開平７−１９５８７４
【特許文献２】特開２００３−１３６８６３
【発明の開示】
【発明が解決しようとする課題】
【０００４】
しかしながら、上記のように、手作業で隠蔽シールを剥がす作業は、非常に煩雑であり、特に、大量の隠蔽シールを剥離する場合は、その作業が非常に煩わしいものである。また、上記のような作業を行なう作業者は、隠蔽情報を読み間違ってしまう可能性もあるとともに、人の目視によって隠蔽情報の読み取りが行なわれるため、記録情報が漏洩する可能性も高い。
【０００５】
また、シールを自動的に剥がす剥離機を用いることも考えられるが、剥離機は非常に高価なものであるため、導入し難いのが実情である。また、剥離機のメンテナンスやランニングコストも必要となり、コストパフォーマンスが悪いという問題がある。
【０００６】
本発明は、このような事情に鑑みなされたもので、隠蔽情報を読み取ることができる隠蔽情報読取装置および隠蔽情報読取方法の提供を目的とする。
【課題を解決するための手段】
【０００７】
上記目的を達成するため、本発明の隠蔽情報読取装置は、所定の情報記録媒体の記録面に記録された記録情報に積層され非透光性状態から透光性状態に変化する性状を有する示温層に対して当該示温層が透光性状態になる温度に加熱する加熱手段と、上記加熱手段の加熱によって透光性状態になった示温層を透して上記情報記録媒体の記録面に記録された記録情報を読み取る読取手段とを備えたことを要旨とする。
【０００８】
また、上記目的を達成するため、本発明の隠蔽情報読取方法は、所定の情報記録媒体の記録面に記録された記録情報に積層され非透光性状態から透光性状態に変化する性状を有する示温層に対して当該示温層が透光性状態になる温度に所定の加熱手段で加熱し、上記加熱手段の加熱によって透光性状態になった示温層を透して上記情報記録媒体の記録面に記録された記録情報を所定の読取手段で読み取ることを要旨とする。
【発明の効果】
【０００９】
すなわち、本発明の隠蔽情報読取装置によれば、上記読取手段は、上記加熱手段の加熱によって透光性状態になった示温層を透して上記情報記録媒体の記録面に記録された記録情報を読み取る。
【００１０】
したがって、上記情報記録媒体の記録面から上記示温層を剥離することなく、当該記録情報を自動的に読み取ることができる。これにより、使用者は、手作業で示温層を剥離する手間や労力をかけることなく、上記記録情報を確認することができるとともに、記録情報の読み間違い等を防止することができる。また、記録情報を自動的に読み取るため、記録情報の漏洩を防止することができる。また、例えば多量の情報記録媒体から上記記録情報を読み取る際には好適に用いることができる。さらに、上記示温層を剥離する必要がないため、上記示温層を剥離するための剥離機を準備する必要がないとともに、シンプルな構造を実現でき、コストパフォーマンスが非常に優れる。
【００１１】
本発明において、画像データからテキストデータに変換する変換手段を備え、上記読取手段は、上記記録情報を画像データとして読み取り、上記変換手段は、上記読取手段により読み取られた画像データをテキストデータに変換する場合には、使用者は、画像データをテキストデータとして入力する手間を省くことができる。また、使用者は、画像データを見て手作業でテキストデータに変換する必要がなくなるため、手作業による変換ミスをなくすことができる。
【００１２】
また、本発明において、上記情報記録媒体は、記録情報が所定の波長の電磁波に反応して可視範囲の蛍光を発する蛍光インクにより記録され、上記記録情報に対して上記所定の波長の電磁波を照射する照射手段を備え、上記読取手段は、上記照射手段の照射により上記記録情報が蛍光を発しているとき、当該記録情報を読み取る場合には、例えば、所定の波長の電磁波として、紫外線を採用し、蛍光インクが自然光や照明の元では見え難く、紫外線の照射により可視範囲の蛍光を発するものであれば、上記示温層を透して記録情報が見られてしまう等による記録情報の漏洩が防止される。このように、記録情報の漏洩を防止しセキュリティー性が高められた上記記録情報を自動的に読み取ることができる。
【発明を実施するための最良の形態】
【００１３】
つぎに、本発明を実施するための最良の形態を説明する。
【実施例１】
【００１４】
図１は、本発明の第１の実施例の隠蔽情報読取装置の一実施の形態を示す図である。
【００１５】
本発明の隠蔽情報読取装置１は、非透光性状態から透光性状態に変化する性状を有する後述の示温層２３を有する隠蔽シール２１（図３）を用いる。本実施例では、この隠蔽シール２１は、情報記録媒体であるカード２の記録面１７に記録された記録情報１９に積層されるよう貼付されている（図２）。本実施例のカード２は、顧客からの会員登録の申し込みを受けるためのカードである。
【００１６】
上記隠蔽情報読取装置１は、上記示温層２３に対して当該示温層２３が透光性状態になる温度に加熱する加熱手段である加熱ローラ３や加熱装置５と、これらの加熱によって透光性状態になった示温層２３を透して上記カード２の記録面１７に記録された記録情報１９を読み取るスキャナ７やコンピュータ装置９と、送りローラ１１とを備えている。
【００１７】
図２（Ａ）に示すように、カード２には、当該記録面１７に住所，氏名，電話番号，パスワード等の記録情報（隠蔽情報）１９が記録されている。図２（Ｂ）に示すように、この記録情報１９には、第３者に見られないよう隠蔽シール２１が貼付され隠蔽されている。
【００１８】
図３に示すように、隠蔽シール２１は、ポリエステル（特にＰＥＴ）で形成された保護フィルム２２と、当該保護フィルム２２に積層された非透光性状態から透光性状態に変化する性状を有する示温層２３と、保護フィルム２２と示温層２３の積層体における示温層２３側の面に粘着層２５が積層されている。隠蔽シール２１は、カード２の記録面１７に記録された記録情報１９に対して上記粘着層２５により貼付されている。隠蔽シール２１の示温層２３は、常温の状態では、非透光性状態となっているため、カード２に書き込まれて記録された個人情報等の記録情報１９が見えないようになっている。
【００１９】
上記示温層２３は、概ね６０℃以上の温度で非透光性状態から透光性状態に変化する性状を有する。これにより、人の体温や気温により、非透光性状態から透光性状態に変化しないようになっている。また、上記示温層２３は、一度変色すると、元の色に戻る（すなわち、非透光性状態から透光性状態に戻る）可逆性のものを採用している。したがって、示温層２３は、概ね６０℃以下の温度になると、温度の低下に応じて透光性状態から非透光性状態に徐々に戻っていく。
【００２０】
また、示温層２３に透明の保護フィルム２２が積層されているため、示温層２３が剥がれたり、汚損することが防止されるとともに、隠蔽シール２１全体として、しわになったり傷んだりし難く、非常に耐久性に優れる。これにより、上記スキャナ７等による読み取りが困難になることを防止することができる。
【００２１】
再び、図１を参照して、上記加熱ローラ３は、内部に加熱源であるヒータ３ａを有し、内部のヒータ３ａにより表面が６０〜７０度に加熱されるようになっている。また、加熱ローラ３は、カード２の厚みだけ加熱装置５の上方に配置されている。したがって、加熱ローラ３と加熱装置５との間には、上記カード２が加熱ローラ３と加熱装置５に擦れ合いながら通る空間が形成されている。上記加熱ローラ３は、その表面にある程度の摩擦力を有するとともに、加熱ローラ３と加熱装置５との間に挿入されたカード２を巻き込むよう回転する。本実施例では、カード２は、図示の矢印のように、隠蔽シールが貼付された隠蔽シール面を加熱装置５側に向けて加熱ローラ３と加熱装置５との間に挿入される。したがって、加熱ローラ３は、カード２の裏面から示温層２３を加熱する。
【００２２】
上記加熱装置５は、その上部に加熱源である加熱部５ａを有する。加熱部５ａは、６０〜７０度に熱するようになっている。これにより、加熱装置５は、加熱ローラ３と加熱装置５との間を通るカード２に積層された隠蔽シールの示温層２３に対し、保護フィルム２２を介して加熱するようになっている。
【００２３】
上記隠蔽情報読取装置１には、上記加熱ローラ３と上記加熱装置５とを対にして２つ設けられている。ここで、図示左側の加熱ローラ３と加熱装置５を「第１加熱ユニット」と称し、その右側の加熱ローラ３と加熱装置５を「第２加熱ユニット」と称する。上記隠蔽情報読取装置１では、カード２は、第１加熱ユニット、第２加熱ユニット、スキャナ７、送りローラ１１の順に搬送されるようになっている。
【００２４】
上記スキャナ７は、透明の保護フィルム２２と、加熱ユニットの加熱によって透光性状態になった示温層２３を透してカード２の記録面１７に記録された記録情報１９を光学的に画像データとして読み取る。また、スキャナ７は、コンピュータ装置９と接続されており、上記画像データをコンピュータ装置９に送信するようになっている。
【００２５】
上記コンピュータ装置９は、ＯＣＲ（Ｏｐｔｉｃａｌ  Ｃｈａｒａｃｔｅｒ  Ｒｅａｄｅｒ）ソフトがインストールされ、スキャナ７から送信された画像データからテキスト（文字や記号等を含む）を識別してテキストデータに変換するようになっている。このように、本実施例では、コンピュータ装置９は、ＯＣＲソフトにより画像データからテキストデータに変換する変換手段として機能する。また、コンピュータ装置９は、当該変換したテキストデータをデータベース化する等により管理するようになっている。
【００２６】
上記送りローラ１１は、その表面にある程度の摩擦力を有し、スキャナ７の読取面上に搬送されたカード２をスキャナ７の外側へ送り出すよう回転するようになっている。これにより、スキャナ７は、記録情報１９を順次読み取ることができる。
【００２７】
つぎに、図１および図４を参照して、隠蔽情報読取装置１の動作について説明する。
【００２８】
上記隠蔽情報読取装置１は、図４（１）に示す隠蔽シールが貼付されたカード２が第１加熱ユニットの加熱ローラ３と加熱装置５との間の空間に挿入されると、加熱ローラ３と加熱装置５で隠蔽シール２１の示温層２３を加熱しながら、加熱ローラ３の回転により、第２加熱ユニット方向へカード２を巻き込んで送り出す。
【００２９】
ついで、第１加熱ユニットの加熱ローラ３により送り出されたカード２が第２加熱ユニットの加熱ローラ３と加熱装置５との間の空間に挿入され、隠蔽シールの示温層２３を加熱ローラ３と加熱装置５でさらに加熱しながら、加熱ローラ３の回転により、スキャナ７方向へカード２を巻き込んで送り出す。
【００３０】
上記のように、第１加熱ユニットで加熱し、さらに第２加熱ユニットで加熱すると、図４（２）に示すように、カード２に貼付された隠蔽シールの示温層２３が透光性状態となる。このように、複数段階で加熱することにより、隠蔽シールの示温層２３に対して熱を十分に伝えることができ、示温層２３を完全に透光性状態にすることができる。本実施例では、示温層２３は予熱により約２秒間透光性状態となる。
【００３１】
ついで、上記隠蔽情報読取装置１は、上記第１，第２加熱ユニットの加熱によって透光性状態になった示温層２３を透して上記カード２の記録面１７に記録された記録情報１９をスキャナ７により読み取る。このとき、スキャナ７は、記録情報１９を画像データとして読み取り、当該画像データをコンピュータ装置９に送信する。
【００３２】
ついで、スキャナ７により読み取られたカード２を送りローラ１１によりスキャナ７の外側へ送り出す。
【００３３】
図４（３）に示すように、加熱され透光性状態となった示温層２３は、周りの空気により冷えてくると、徐々に非透光性状態になっていき、図４（４）に示すように、完全に非透光性状態となる。このように、示温層２３が自動的に非透光性状態となるため、記録情報１９を隠蔽する手間がなく、記録情報１９の秘密性を維持することができる。
【００３４】
ついで、上記隠蔽情報読取装置１は、上記コンピュータ装置９により、スキャナ７から受信した画像データからテキストを識別してテキストデータに変換し、当該テキストデータを格納する。
【００３５】
上記コンピュータ装置９は、上記スキャナ７により読み取られた画像データをテキストデータに変換するため、使用者は、画像データをテキストデータとして入力する手間を省くことができる。また、使用者は、画像データを見て手作業でテキストデータに変換する必要がなくなるため、手作業による変換ミスをなくすことができる。
【００３６】
上記のように、隠蔽情報読取装置では、読取手段であるスキャナ７やコンピュータ装置９により、上記加熱ローラ３と加熱装置５等の加熱ユニットの加熱によって透光性状態になった示温層２３を透して上記カード２の記録面１７に記録された記録情報１９を読み取る。すなわち、カード２の記録面１７から示温層２３を剥離することなく、当該記録情報１９を自動的に読み取ることができる。これにより、使用者は、手作業で示温層２３を剥離する手間や労力をかけることなく、記録情報１９を確認することができるとともに、記録情報１９の読み間違い等を防止することができる。また、記録情報１９を自動的に読み取るため、記録情報１９の漏洩を防止することができる。また、例えば多量のカード２から上記記録情報１９を読み取る際には好適に用いることができる。さらに、示温層２３を剥離する必要がないため、示温層２３を剥離するための剥離機を準備する必要がないとともに、シンプルな構造を実現でき、コストパフォーマンスが非常に優れる。
【００３７】
なお、上記示温層２３としては、示温インクを採用しているが、これに限定するものではなく、例えば、示温顔料，示温塗料、示温材等の各種のものを用いることができる。また、一度変色すると、元の色に戻らない（すなわち、透光性状態から非透光性状態に戻らない）不可逆性のものを採用することもできる。この場合、示温層２３が非透光性状態に戻るまで（すなわち、加熱直後）に、スキャナ７に記録情報１９を読み取らせるように、加熱ローラ３の回転速度やスキャナ７の読み取り速度を設定する必要がなくなる。したがって、気温が低い場所で使用する場合や気温が高い場所で使用する場合等の本装置の使用環境にかかわらず、好適に使用することができる。
【００３８】
また、上記スキャナ７で記録情報１９が読み取られた後、示温層２３を冷却する冷却手段を設けてもよい。このようにすることにより、気温等の影響等により示温層２３が非透光性状態に戻り難い場合等に対応することができる。
【００３９】
また、図５に示すように、上記隠蔽シール２１として、当該保護フィルム２２上からさらに示温層３１と保護フィルム３３との積層体を積層した隠蔽シール（「２重隠蔽シール」３５と称する）を採用してもよい。
【００４０】
この場合、図５に示すように、上記隠蔽シール２１の保護フィルム２２側に示温層３１が積層され、その示温層３１に保護フィルム３３が積層されていてもよい。このようにすることにより、記録情報１９を透かして見られてしまうことを防止することができる。この場合、示温層２３，３１に対して十分に熱が伝わるよう加熱ローラ３や加熱装置５による加熱時間や加熱温度等を長めに設定することが好ましい。
【実施例２】
【００４１】
図６〜図８は、本発明の第２の実施例を示す。
【００４２】
本実施例では、図６〜図８に示すように、上記カード２は、記録情報１９が所定の波長の電磁波（本実施例では、紫外線）に反応して可視範囲の蛍光を発する蛍光インクにより記録されている。本実施例の隠蔽情報読取装置１は、記録情報１９に対して上記紫外線を照射する照射手段である紫外線照射部４１を備え、上記スキャナ７は、上記紫外線照射部４１の照射により上記記録情報１９が蛍光を発しているとき、当該記録情報１９を読み取るようになっている。それ以外は、上記第１の実施例と同様であり、同様の部分には同じ符号を付している。
【００４３】
上記紫外線照射部４１は、スキャナ７内に設けられ、少なくともスキャナ７の読み取り動作が行なわれている間、記録情報１９に対して紫外線を照射するようになっている。
【００４４】
図７に示すように、本実施例では、記録情報１９は、顧客等により蛍光インクとしてのステルスインクが塗布されたカーボン紙４３を用いて複写され、隠蔽シール２１に貼付されている。
【００４５】
上記蛍光インクは、紫外線が照射されることにより蛍光を発するようになっているが、これに限定されるものではなく、赤外線等の電磁波等が照射されることにより蛍光を発するものであってもよく、蛍光染料、蛍光顔料等を採用することができる。
【００４６】
つぎに、図６および図８を参照して、本実施例の隠蔽情報読取装置１の動作について説明する。
【００４７】
上記隠蔽情報読取装置１は、図８（１）に示す隠蔽シール２１が貼付されたカード２が、上述と同様に、第１加熱ユニットにつづいて第２加熱ユニットで加熱すると、図８（２）に示すように、カード２に貼付された隠蔽シール２１の示温層２３が完全に透光性状態となる。ここでは、記録情報１９は上記ステルスインクで記録されているため、読み取れないようになっている。
【００４８】
ついで、図８（３）に示すように、上記隠蔽情報読取装置１は、上記紫外線照射部４１により透光性状態になった示温層２３を透して記録情報１９に対して紫外線を照射するとともに、スキャナ７により記録情報１９を読み取る。すなわち、スキャナ７は、上記紫外線照射部４１により記録情報１９に対して紫外線を照射し、記録情報１９が蛍光を発している間、記録情報１９を画像データとして読み取る。そして、当該画像データをコンピュータ装置９に送信する。
【００４９】
ついで、上記隠蔽情報読取装置１は、スキャナ７により読み取られたカード２を送りローラ１１によりスキャナ７の外側へ送り出し、上記コンピュータ装置９により、スキャナ７から受信した画像データからテキストを識別してテキストデータに変換し、当該テキストデータを格納する。
【００５０】
上記のように、スキャナ７は、紫外線照射部４１の照射により記録情報１９が蛍光を発しているとき、当該記録情報１９を読み取るため、本実施例のように、所定の波長の電磁波として、紫外線を採用し、蛍光インクが自然光や照明の元では見え難く、紫外線の照射により可視範囲の蛍光を発するものであれば、上記示温層２３を透して記録情報１９が見られてしまう等による記録情報１９の漏洩が防止される。このように、本実施例では上記第１の実施例の作用効果に加えて、記録情報１９の漏洩を防止しセキュリティー性が高められた上記記録情報１９を自動的に読み取ることができる。
【実施例３】
【００５１】
図９は、本発明の第３の実施例を示す。
【００５２】
図９に示すように、上記スキャナ７に代えて画像データをテキストデータに変換するＯＣＲ（光学式文字読取装置）４５を用いてもよい。ＯＣＲ（光学式文字読取装置）４５は、上記各実施例におけるスキャナ７の機能と、ＯＣＲソフトがインストールされたコンピュータ装置９の機能を有する。この場合、上記コンピュータ装置９は、上記ＯＣＲ４５により変換されたテキストデータを受信し管理するようにしてもよい。それ以外は、上記第１の実施例と同様であり、同様の部分には同じ符号を付している。このようにすることで上記第１の実施例と同様の作用効果に加えて、上記コンピュータ装置９と接続する必要がなくなり、本装置の構成を簡素化させることができる。また、コンピュータ装置９とは別の外部装置（端末装置）等と接続し、その外部装置等にテキストデータを送信することができる。
【実施例４】
【００５３】
図１０は、本発明の第４の実施例を示す。
【００５４】
図１０に示すように、隠蔽情報読取装置１に読み取り前の複数のカード２を収容する収容部５１を設け、収容部５１に収容されたカード２が順次読み取られるようにしてもよい。この場合、収容部５１に、収容されたカード２を第１加熱ユニットへ送り出す送出しローラ５１ａを設けてもよい。このように、収容部５１を設けることにより、大量のカード２の記録情報１９を読み取る際には、複数のカード２を収容部５１に一度に収容することで、これらのカード２の記録情報１９を順次読み取ることができるため、大量のカード２の読み取り作業の手間や労力が一層軽減される。それ以外は、上記第１の実施例と同様であり、同様の部分には同じ符号を付している。また、上記第１の実施例と同様の作用効果を奏する。なお、図１０では、上記コンピュータ装置９を示していない。
【００５５】
なお、各実施例の隠蔽情報読取装置の構成は、任意に変更してもよい。例えば、第１の実施例の隠蔽情報読取装置の一部の構成を第２の実施例の隠蔽情報読取装置に組み合わせてもよい。また、情報記録媒体としてカードを採用しているが、例えば葉書，書類等の種々の情報記録媒体を適用できる。
【産業上の利用可能性】
【００５６】
本発明は、読み取りが必要な記録情報が示温層により隠蔽されていれば適用でき、当該示温層により隠蔽された記録情報である隠蔽情報を読み取る用途に用いることができる。
【図面の簡単な説明】
【００５７】
【図１】本発明の第１の実施例の隠蔽情報読取装置を示す図である。
【図２】カードの記録情報と隠蔽シールを示す図である。
【図３】記録情報に貼付された隠蔽シールの断面図である。
【図４】隠蔽シールの状態を示す図である。
【図５】２重隠蔽シールを示す図である。
【図６】第２の実施例の隠蔽情報読取装置を示す図である。
【図７】ステルスインクを用いて記録された記録情報を示す図である。
【図８】隠蔽シールの状態を示す図である。
【図９】第３の実施例の隠蔽情報読取装置を示す図である。
【図１０】第４の実施例の隠蔽情報読取装置を示す図である。
【符号の説明】
【００５８】
１      隠蔽情報読取装置
２      カード
３      加熱ローラ
３ａ    ヒータ
５      加熱装置
５ａ    加熱部
７      スキャナ
９      コンピュータ装置
１１    送りローラ
１７    記録面
１９    記録情報
２１    隠蔽シール
２２    保護フィルム
２３    示温層
２５    粘着層
３１    示温層
３３    保護フィルム
３５    ２重隠蔽シール
４１    紫外線照射部
４３    カーボン紙
４５    ＯＣＲ
５１    収容部
５１ａ  送出しローラ
【図１】
2006071886.tif 000003
【図２】
2006071886.tif 000004
【図３】
2006071886.tif 000005
【図４】
2006071886.tif 000006
【図５】
2006071886.tif 000007
【図６】
2006071886.tif 000008
【図７】
2006071886.tif 000009
【図８】
2006071886.tif 000010
【図９】
2006071886.tif 000011
【図１０】
2006071886.tif 000012